(57)【要約】【課題】建造物内の部屋から他の部屋へとマイクロ波又はミリ波からなる電波が漏れ出すのを防止でき、しかも、外観を損ねることなく簡単に実現し得る建物用建材を提供することである。【解決手段】建造物にて部屋の境として使用される戸境壁５０は、木製の下地材５１と、下地材５１の表面に塗布された仕上げ材５３と、から形成されている。仕上げ材５３は、電波を反射可能で、電波の波長λに対して１／１０〜１／２の粒径を有する砂粒５５を、建材本体の壁面に塗布可能な合成糊５４に混入することにより形成されている。このため、仕上げ材５３に入射した電波は砂粒５５の表面で反射されて減衰し、電波が戸境壁５０を透過することが防止される。【選択図】図１
2007270460.tif 000002
【特許請求の範囲】
【請求項１】
建造物にて部屋の境として使用される建材本体と、
該建材本体の壁面に設けられ、マイクロ波又はミリ波からなる電波を遮蔽可能な仕上げ材と、
を備えた建物用建材であって、
前記仕上げ材は、
前記電波を反射可能で、前記電波の波長λに対して１／１０〜１／２の粒径を有する粒状体を、前記建材本体の壁面に貼着又は塗布可能な担持体に混入することにより形成されていることを特徴とする建物用建材。
【請求項２】
前記仕上げ材は、前記建材本体に貼着可能な壁紙であることを特徴とする請求項１に記載の建物用建材。
【請求項３】
前記仕上げ材は、前記建材本体に塗布可能な塗り壁材又は塗料であることを特徴とする請求項１に記載の建物用建材。
【請求項４】
前記粒状体は、砂又は色砂であることを特徴とする請求項１〜請求項３の何れかに記載の建物用建材。
【発明の詳細な説明】
【技術分野】
【０００１】
本発明は、集合住宅における住戸等、建造物内で各部屋を仕切るのに使用される建物用建材に関し、特に、不要電波の遮断機能を有する建物用建材に関する。
【背景技術】
【０００２】
従来より、例えば、集合住宅において、屋外に設置された受信アンテナにてテレビ放送電波を受信し、その受信信号を各住戸のテレビまで伝送する場合、受信アンテナから各住戸の端子までは受信信号を同軸ケーブルで伝送し、その後各住戸の部屋内において送信機と受信機とで無線伝送する場合がある（例えば特許文献１等参照）。
【０００３】
無線伝送の際は、同軸ケーブルで送られた受信信号を、送信機においてマイクロ波帯又はミリ波帯の受信信号に周波数変換し、周波数変換後の受信信号を送信機のアンテナから空気中に放射し、その放射電波をテレビに接続された受信機のアンテナで受信する。
【０００４】
ところで、住人Ａが送受信機を設置している部屋と、住人Ｂが送受信機を設置している部屋とが戸境壁を介して隣接し、しかも戸境壁の電波遮蔽性がそれ程大きくないときは、住人Ａの送信機から受信機に送信された送信電波が、戸境壁を透過して住人Ｂの受信機に到達する場合がある。この場合、住人Ｂの送信機から受信機に送信される送信電波と、上記戸境壁を透過した送信電波とが電波干渉を起こし、住人Ｂの受信機においてテレビ放送信号の復調が困難となるなどの弊害が発生することがある。
【０００５】
一方、従来より、ミリ波帯の電波が壁部を透過することを防止するための電波吸収材として、何れも木質系材料と炭素系材料とを混合して成る三つの層を含み、各層において木質系材料と炭素系材料との混合割合を異ならせたものが知られている（例えば特許文献２等参照）。従って、集合住宅の各部屋でテレビ放送信号をミリ波帯の電波を使って無線伝送する無線伝送システムを構築する場合に、この電波吸収材を各部屋の壁部に取り付けることにより、上記電波干渉を防止できるようになる。
【特許文献１】特開２００５−８６３００号公報
【特許文献２】特開平８−１８９１６６号公報
【発明の開示】
【発明が解決しようとする課題】
【０００６】
しかし、従来の電波吸収材は、壁部とは別に形成され、その後、壁部の表面に取り付けられる。従って、壁部を形成する工程とは別に、電波吸収材を形成する形成工程及び電波吸収材を壁部に取り付ける工程が必要になり、電波吸収材の形成及び取付けに要するコストが上昇する。
【０００７】
また、従来の電波吸収材は、壁部の表面に取り付けられるので、壁部の表面を構成する部材（たとえば仕上げ材）が電波吸収材で覆われ、電波吸収材の表面が壁部の外観を左右することになる。通常、電波吸収材の外観は仕上げ材などの外観よりも劣るので、電波吸収材を取り付けたことにより壁部の外観が低下し易い。
【０００８】
本発明は上記課題に鑑みてなされたもので、建造物内の部屋から他の部屋にマイクロ波又はミリ波からなる電波が漏れ出すのを防止でき、しかも、外観を損ねることなく簡単に実現し得る建物用建材を提供することを目的とする。
【課題を解決するための手段】
【０００９】
上記目的を達成するために成された請求項１に記載の発明は、建造物にて部屋の境として使用される建材本体と、該建材本体の壁面に設けられ、マイクロ波又はミリ波からなる電波を遮蔽可能な仕上げ材と、を備えた建物用建材であって、前記仕上げ材は、前記電波を反射可能で、前記電波の波長λに対して１／１０〜１／２の粒径を有する粒状体を、前記建材本体の壁面に貼着又は塗布可能な担持体に混入することにより形成されていることを特徴とする。
【００１０】
請求項２に記載の発明は、請求項１に記載の建物用建材において、仕上げ材は、建材本体に貼着可能な壁紙であることを特徴とする。
請求項３に記載の発明は、請求項１に記載の建物用建材において、仕上げ材は、建材本体に塗布可能な塗り壁材又は塗料であることを特徴とする。
【００１１】
請求項４に記載の発明は、請求項１〜請求項３の何れかに記載の建物用建材において、粒状体は、砂又は色砂であることを特徴とする。
【発明の効果】
【００１２】
請求項１に記載の建物用建材によれば、この建物用建材が境を成す部屋にマイクロ波又はミリ波からなる電波を送信する送信機が設置され、この送信機からの送信電波が建物用建材に入射したとしても、その入射した電波は、仕上げ材の担持体に混入されている粒状体の表面で繰り返し反射され、反射後担持体内を伝搬する間に減衰する。このため、請求項１に記載の建物用建材は、マイクロ波又はミリ波からなる電波が建材本体を透過し他の部屋に漏れ出すのを防止することができる。
【００１３】
また、請求項１に記載の建物用建材は、建材本体の壁面に仕上げ材を設ける際には、粒状体を混入させた担持体を建材本体の壁面に貼着するか、塗布するだけで良いので、極めて簡単に作製でき、その電波遮蔽機能を有する建物用建材を低コストで実現できる。
【００１４】
請求項２に記載の建物用建材は、仕上げ材を壁紙としたので、従来より一般に使用されている壁紙と同様に建物用建材に所望の外観を付与することができ、電波遮蔽機能を持たせることにより建物用建材の外観が損なうこともない。また、請求項３に記載の建物用建材は、仕上げ材を塗り壁材又は塗料としたので、上記仕上げ材を壁紙とした場合と同様の効果が得られる。
【００１５】
請求項４に記載の建物用建材においては、粒状体として、砂又は色砂を使用していることから、電波遮蔽機能を有する仕上げ材を低コストで作製でき、特に、色砂を使用すれば、建物用建材の仕上げ材に所望の色彩を施こすことができる。
【発明を実施するための最良の形態】
【００１６】
以下、本発明の実施形態について、図面を参照しつつ説明する。
［実施形態］
図１〜図４に本発明の実施形態を示す。
【００１７】
集合住宅の複数の住戸のうち、本発明の建物用建材により境界が形成される２つの住戸を図１に示す。図１において、一対の側壁１１及び側壁１２と、一対の側壁１３及び側壁１４とで区画される居住空間が、側壁１１と側壁１２との間に、該両側壁１１及び側壁１２と平行に配置された戸境壁（特許請求の範囲の「建物用建材」に相当する）５０により第１住戸１６と第２住戸１８とに分けられている。
【００１８】
第１住戸１６では、戸境壁５０の一側面５０ａから離れた側壁１１の近くに第１送信機３０Ａが配置され、戸境壁５０の一側面５０ａの近くに、第１送信機３０Ａから放射される放射電波を受信する第１受信機４０Ａが配置されている。これに対して、第２住戸１８では、戸境壁５０の他側面５０ｂから離れた側壁１２の近くに第２送信機３０Ｂが配置され、戸境壁５０の他側面５０ｂの近くに、第２送信機３０Ｂから放射される放射電波を受信する第２受信機４０Ｂが配置されている。
【００１９】
上記戸境壁５０は建材本体と、その両側の一対の仕上げ材とを含み、一側面５０ａ側の仕上げ材は、第１送信機３０Ａから第１受信機４０Ａに放射される放射電波を減衰させ、放射電波が戸境壁５０を透過せず第２住戸１８に漏れない構成となっている。
【００２０】
次に、第１住戸１６内の第１送信機３０Ａ及び第１受信機４０Ａと、第２住戸１８内の第２送信機３０Ｂ及び第２受信機４０Ｂとを含む無線伝送システムについて、図２を参照しつつ説明する。なお、第１送信機３０Ａと第２送信機３０Ｂの構成及び他の機器との接続状態は同じであり、また、第１受信機４０Ａと第２受信機４０Ｂの構成及び他の機器との接続状態も同じであるため、以下、共通して説明可能な部分は、第１送信機３０Ａ及び第２送信機３０Ｂを送信機３０として説明し、第１受信機４０Ａ及び第２受信機４０Ｂを受信機４０として説明する。
【００２１】
図２において、ＢＳ／ＣＳアンテナ２１は、放送衛星（ＢＳ）や通信衛星（ＣＳ）を介して配信される衛星放送を受信するオフセット型のパラボラアンテナであり、反射鏡２１ａと、支持腕を介して反射鏡２１ａの焦点位置に配置された受信ユニット２１ｂとから構成されている。
【００２２】
受信ユニット２１ｂは、反射鏡２１ａにて集波された放送／通信衛星（ＢＳ／ＣＳ）からの送信電波を受信して、その受信信号（例えば、周波数１１．７ＧＨｚ〜１２．７５ＧＨｚの放送信号）を、元の周波数よりも低い所定周波数（例えば、１０３２〜２０７１ＭＨｚ）の中間周波信号（ＢＳ／ＣＳ−ＩＦ）にダウンコンバートして出力する。
【００２３】
次に、ＢＳ／ＣＳアンテナ２１の受信ユニット２１ｂから出力された中間周波信号は、ＵＨＦアンテナ２２にて受信された地上ディジタル放送信号（以下、ＵＨＦ信号ともいう）と混合器２３にて混合され、混合された信号が、同軸ケーブルからなる伝送線Ｌ１を介して送信機３０に入力される（以下、受信ユニット２１ｂから出力された中間周波信号と、ＵＨＦ信号とが混合された信号を、単に放送信号（４７０〜２０７１ＭＨｚ）ともいう）。
【００２４】
そして、送信機３０は、入力された放送信号を受信機４０側に送信すべき伝送信号として取り込み、これをミリ波帯（本実施形態では６０ＧＨｚ）にアップコンバートして送信アンテナ３９から第１住戸１６又は第２住戸１８の空間内に放射する。
【００２５】
また、ＢＳ／ＣＳアンテナ２１の受信ユニット２１ｂと送信機３０を接続する伝送線Ｌ１上には、受信ユニット２１ｂと送信機３０とに電力を供給するための電源挿入器２４が設けられており、受信ユニット２１ｂと送信機３０とは、この電源挿入器２４及び伝送線Ｌ１を介して電源装置２５から供給される直流の電源電圧（例えば、ＤＣ１５Ｖ）を受けて動作する。
【００２６】
次に、第１住戸１６又は第２住戸１８内の戸境壁５０の近くに配置された受信機４０は、第１住戸１６又は第２住戸１８内に放射されるミリ波帯の放射電波を受信アンテナ４１で受信し、その受信信号をダウンコンバートすることにより、ＢＳ／ＣＳアンテナ２１の受信ユニット２１ｂから出力された中間周波信号（ＢＳ／ＣＳ−ＩＦ）、及び、ＵＨＦアンテナ２２にて受信されたＵＨＦ信号を復元し、同軸ケーブルからなる伝送線Ｌ２を介して接続されたディジタルチューナ２８等の受信端末に出力する。
【００２７】
ところで、一般にディジタルチューナ２８などのディジタル放送受信端末は、同軸ケーブルを介して外部の機器に電源を供給できるようにするために、伝送線Ｌ２が接続される受信信号の入力端子から電源電圧（例えば、ＤＣ１５Ｖ）を出力できるように構成されている。そして、本実施形態の受信機４０は、ディジタルチューナ２８などのディジタル放送受信端末から、伝送線Ｌ２を介して供給される直流の電源電圧を受けて動作する。
【００２８】
以下、送信機３０及び受信機４０について、図３を参照しつつ説明する。図３は、送信機３０及び受信機４０の構成を示すブロック図である。
図３に示すように、送信機３０には、受信ユニット２１ｂから出力された中間周波信号（ＢＳ−ＣＳ／ＩＦ）、ＵＨＦアンテナ２２にて受信されたＵＨＦ信号、及び、電源装置２５から供給される電源電圧（ＤＣ１５Ｖ）を、伝送線Ｌ１を介して入力するための入力端子Ｔ１と、この入力端子Ｔ１に入力された信号の中から、直流信号成分（つまり、電源電圧ＤＣ１５Ｖ）を取り出し、内部回路に供給する電源分離フィルタ３１と、電源分離フィルタ３１を通過してきた放送信号（ＢＳ／ＣＳ−ＩＦ、ＵＨＦ信号）を増幅する増幅回路３２と、水晶等を利用して周波数変換用の基準となる一定周波数の基準信号を発生する基準発振器３３と、制御電圧により発振周波数を制御可能な電圧制御型の可変発振回路（ＶＣＯ）を備え、基準発振器３３からの基準信号、ＶＣＯから出力される高周波信号の一部を方向性結合器を介して取り込み、外部から入力される周波数制御信号に従って、この高周波信号と基準発振器３３が発生した基準信号とを分周又は逓倍して位相比較することにより、所定周波数の高周波信号を出力するＰＬＬ発振器３４と、ＰＬＬ発振器３４から出力される高周波信号を周波数逓倍して、放送信号をミリ波帯にアップコンバートするのに必要な所定周波数（本実施形態では５９ＧＨｚ）の信号を出力する逓倍器３５と、が設けられている。
【００２９】
また、送信機３０には、増幅回路３２にて増幅された放送信号と逓倍器３５からの出力信号とを混合するミキサ３６が設けられており、このミキサ３６にて、入力された放送信号がミリ波帯（本実施形態では６０ＧＨｚ）の伝送信号にアップコンバートされる。さらに、ミキサ３６の出力側には、信号抽出フィルタ（以下、ＢＰＦともいう）３７が設けられており、ミキサ３６からの出力のうち、逓倍器３５からの出力信号よりも周波数が高い周波数帯（６０ＧＨｚ帯）の伝送信号のみを通過可能に構成されており、６０ＧＨｚ帯の伝送信号が選択的に抽出される。
【００３０】
つまり、ミキサ３６からの出力信号には、逓倍器３５からの出力信号よりも高周波側に周波数変換された伝送信号と、逓倍器３５からの出力信号よりも低周波側に周波数変換された伝送信号との、２種類の伝送信号が含まれることから、本実施形態ではＢＰＦ３７を介して、逓倍器３５からの出力信号よりも周波数が高い６０ＧＨｚ帯の伝送信号のみを、受信機４０に送信すべき伝送信号として選択的に抽出するようにしている。
【００３１】
そして、ＢＰＦ３７を通過した伝送信号は、ミリ波用の増幅回路３８に入力され、この増幅回路３８にて所定レベルまで増幅された後、送信アンテナ３９から第１部屋１６内の空間に放射される。
【００３２】
一方、受信機４０は、受信アンテナ４１により受信した受信信号を増幅するミリ波用の増幅回路４２と、水晶等を利用して周波数変換用の基準となる一定周波数の基準信号を発生する基準発振器４３と、制御電圧により発振周波数を制御可能な電圧制御型の可変発振回路（ＶＣＯ）を備え、基準発振器４３からの基準信号、ＶＣＯから出力される高周波信号の一部を方向性結合器を介して取り込み、外部から入力される周波数制御信号に従って、この高周波信号と基準発振器４３が発生した基準信号とを分周又は逓倍して位相比較することにより、所定周波数の高周波信号を出力するＰＬＬ発振器４４と、ＰＬＬ発振器４４から出力される高周波信号を周波数逓倍して、ミリ波帯の受信信号を元の周波数帯にダウンコンバートするのに必要な所定周波数（本実施形態では５９ＧＨｚ）の信号を出力する逓倍器４５と、が設けられている。
【００３３】
また、受信機４０には、増幅回路４２にて増幅された受信信号と逓倍器４５からの出力信号とを混合するミキサ４６が設けられており、このミキサ４６にて、入力されたミリ波帯（本実施形態では６０ＧＨｚ）の受信信号が、元の周波数帯にダウンコンバートされる。さらに、ミキサ４６の出力側には、信号抽出フィルタ（以下、ＢＰＦともいう）４７が設けられており、ＢＰＦ４７は、ミキサ４６からの出力のうち、送信機３０にてアップコンバートされる前の放送信号のみを選択的に通過させる。
【００３４】
そして、ＢＰＦ４７を通過した伝送信号は、増幅回路４８に入力され、この増幅回路４８にて所定レベルまで増幅された後、出力端子Ｔ２まで伝送され、出力端子Ｔ２から第１部屋に設置されたディジタルチューナ２８へと出力される。
【００３５】
なお、出力端子Ｔ２には、ディジタルチューナ２８から供給される電源電圧（ＤＣ１５Ｖ）が入力されることから、増幅回路４８と出力端子Ｔ２の間の伝送路には、出力端子Ｔ２に入力された電源電圧（ＤＣ１５Ｖ）を取り出し、受信機４０の内部回路に供給する電源分離フィルタ４９が設けられている。
【００３６】
次に、図１のＸ部拡大図である図４（ａ）を参照しつつ戸境壁５０について説明する。
戸境壁５０は、その厚さ方向に離れて配置された木製の下地材（特許請求の範囲の「建材本体」に相当する）５１、５７と、下地材５１の表面（壁面）５１ａに形成された仕上げ材５３及び下地材５７の表面（壁面）５７ａに形成された仕上げ材５８とを含む。なお、図４（ａ）に二点鎖線で示すように、下地材５１と下地材５７との間にコンクリートなどの骨材６１が配置されることもある。
【００３７】
仕上げ材５３は、図４（ａ）のＹ部拡大図である図４（ｂ）に示すように、水性の合成糊（特許請求の範囲の「担持体」に相当する）５４に、天然砂からなる砂粒（特許請求の範囲の「粒状体」に相当する）５５を混ぜ合わせて生成された塗り壁材（いわゆる、じゅらく壁）であり、所定の厚さで、下地材５１の表面５１ａに塗布されている。
【００３８】
砂粒５５は、二酸化珪素（石英）を主成分として含み、その表面で６０ＧＨｚ帯の放射電波を反射する性質を有している。砂粒５５の粒径は、６０ＧＨｚ帯の放射電波の波長λ（約５ｍｍ）に対して１／１０〜１／２の範囲、具体的には約０．５ｍｍ〜約２．５ｍｍの範囲で選定されている。
【００３９】
一方、木製の下地材５７の表面５７ａに形成された仕上げ材５８は、この表面５７ａに貼着された壁紙であり、所定厚さを持つ。ここで、壁紙は、ビニル製のビニル壁紙（ビニルクロスともいう）である。
【００４０】
以下、図１、図４（ａ）及び図４（ｂ）を参照しつつ、戸境壁５０による６０ＧＨｚ帯の放射電波の遮蔽について説明する。第１住戸１６内で第１送信機３０Ａの送信アンテナ３９から第１受信機４０Ａの受信アンテナ４１に無線伝送される６０ＧＨｚ帯の放射電波は、受信アンテナ４１にて受信されると共に、図４（ａ）の矢印ａで示すように、戸境壁５０に、壁面に対して直交するように入射する。
【００４１】
そして、戸境壁５０の仕上げ材５３に入射した６０ＧＨｚ帯の放射電波は、図４（ｂ）に矢印ｂで示すように砂粒５５の表面で種々の方向（入射方向と同方向、入射方向と交差する方向又は入射方向と反対方向）に反射され、反射後、仕上げ材５３内を伝搬する間に次第に減衰する。ここで、６０ＧＨｚ帯の放射電波が砂粒５５の表面での反射を繰り返すことにより、仕上げ材５３内での放射電波の伝搬経路が長くなり、減衰が促進される。
【００４２】
このように、本実施形態の戸境壁５０によれば、壁に入射された６０ＧＨｚ帯の放射電波は、仕上げ材５３に混入された砂粒５５の表面で反射されて減衰されるので、仕上げ材５３から下地材５１には殆ど出射することがなく、６０ＧＨｚ帯の放射電波が一側面５０ａから他側面５０ｂに透過するのを防止できる。
［電波透過伝送試験］
次に、上記実施形態の戸境壁５０によるミリ波帯の電波の遮蔽を確認するために、電波透過伝送試験を行った。図５は、電波透過伝送試験の測定系を示す構成図である。
【００４３】
本電波透過伝送試験は、材質の異なる５種類の試験用建材７０を通過する電波の通過損失を夫々測定したものであり、測定系は、図５に示すように、ネットワークアナライザ８５と、このネットワークアナライザ８５に接続された送信機７５と、同じくネットワークアナライザ８５に接続された受信機８０と、から構成されている。
【００４４】
送信機７５及び受信機８０は、テーブル７７またはテーブル８２上に夫々載置されており、送信機７５は、送信アンテナ７６を受信機８０に向けて配置され、一方、受信機８０は、送信機７５から３０ｃｍ離れた位置に受信アンテナ８１を送信機７５に向けて配置される。
【００４５】
試験用建材７０は、以下の表１の左欄に示すように、夫々、厚さ１２ｍｍのプラスタ・ボードにエマルジョンペイントを塗布したもの、ビニールクロスを貼り付けたもの、フッ素コーティングしたもの、珪藻土を塗布したもの、じゅらく（Model 056290 5115:水性の合成糊に０．５ｍｍ〜２．５ｍｍの砂粒を混入したもの）を塗布したものの５種類を使用した。
【００４６】
なお、送信機７５及び受信機８０は、５６ＧＨｚ〜９４ＧＨｚの電波を送受信可能なアンリツ社製「伝送／反射モジュール  ３７４０Ａ−ＥＥ」を使用し、ネットワークアナライザ８５は、アンリツ社製「ブロードバンド・ベクトルネットワーク  アナライザ  ＭＥ７８０８Ｂ」を使用した。
【００４７】
このように構成された測定系において、送信機７５から６０ＧＨｚの垂直偏波を受信機８０に向けて放射し、一方、送信機７５と受信機８０との間（つまり、電波の伝播経路上）に試験用建材７０を伝播方向に対して直交するように設置し、ネットワークアナライザ８５にて通過損失を測定した。測定結果を以下の表１に示す。なお、表１の通過損失の値は、試験用建材７０が設置されていない場合の損失（自由空間伝搬損失）を除いたものであり、試験用建材７０による損失量を表している。
【００４８】
【表１】
2007270460.tif 000003
【００４９】
表１に示す測定結果においては、じゅらく(Model:056290 5115)を塗布したプラスタ・ボードの通過損失が最も大きく１０ｄＢ以上あり、他の試験用建材７０では、２ｄＢ〜５ｄＢ程度の通過損失が測定された。このように、じゅらく(Model:056290 5115)を塗布したもの以外の４種類の試験用建材７０でのミリ波帯電波の透過損失は小さいのに対して、じゅらく(Model:056290 5115)を塗布したものはミリ波帯電波の透過損失が大きいことから、ミリ波帯電波は、仕上げ材５３内を伝搬する間に減衰するという上記考察の正当性が裏付けられた。
【００５０】
この実施形態によれば、以下の効果が得られる。まず、戸境壁５０で区画された第１住戸１６に配置された第１送信機３０Ａから第１受信機４０Ａに送信される６０ＧＨｚ帯の放射電波（送信電波）が戸境壁５０の仕上げ材５３に入射しても、戸境壁５０の仕上げ材５３はその透過を防止することができる。これにより、第１送信機３０Ａからの６０ＧＨｚ帯の放射電波が、第２住戸１８内で第２送信機３０Ｂから第２受信機４０Ｂに送信される６０ＧＨｚ帯の放射電波と干渉することが防止される。
【００５１】
また、下地材５１の壁面５１ａに仕上げ材５３を設ける際には、水性の合成糊５４と、電波を反射可能で、且つ、電波の周波数に応じた径の砂粒５５と、からなる仕上げ材５３を、下地材５１の壁面５１ａに塗布するだけで良いので、戸境壁５０を極めて簡単に作製でき、これにより電波遮蔽機能を有する戸境壁５０を低コストで実現できる。
【００５２】
さらに、砂粒と水性の合成糊とからなる塗り壁材は、従来より一般に使用され所定の外観を持つので、本実施形態の戸境壁５０によれば、外観を損なうことなく、電波遮蔽機能を持たせることが可能である。また、砂粒５５として入手が容易な天然砂を使用したので、電波遮蔽機能を有する仕上げ材５３を低コストで作製することができる。
［変形例］
本発明は、上述した実施形態に限定されず、以下のような変形が可能である。
（１）建物用建材
本発明の建物用建材には、上述したような隣接する第１住戸１６及び第２住戸１８の境界を形成する戸境壁５０の他に、各住戸内の居住空間を部屋に仕切るために使用される間仕切り壁も含まれる。
（２）仕上げ材
建物用建材の仕上げ材は、建材本体の一方の壁面のみに設けることも、他方の壁面のみに設けることも、両方の壁面に設けることもできる。たとえば、上記実施形態では仕上げ材５３のみに砂粒５５を混入し、仕上げ材５８には砂粒を混入しなかったが、仕上げ材５８にも砂粒などの粒状体を混入することができ、これにより第２住戸１８から第１住戸１６への送信電波の透過を防止できる。
【００５３】
なお、仕上げ材の種類としては、水性の合成糊に砂粒を混入したじゅらく壁の他に、電波に応じた径の砂粒が混入された繊維壁、プラスタ壁、モルタル壁及び漆喰壁などを採用することができる。そして、建材本体の両方の壁面に塗り壁を塗布する場合は、一方の壁面に塗布する塗り壁の種類と、他方の壁面に塗布する塗り壁の種類とは、同じでも異なっても良い。
【００５４】
また、建材本体の壁面に塗布される仕上げ材として、担持体としての一般の塗料に、砂粒などの粒状体を混入した塗料を使用することができ、具体的には、アクリル樹脂塗料、ウレタン樹脂塗料及びシリコン樹脂塗料などが挙げられる。さらに、建材本体の壁面に貼着される仕上げ材として、砂粒などの粒状体を混入した壁紙（壁クロス）を使用することができ、具体的には、上記実施形態のビニル壁紙の他に、織物壁紙や紙壁紙が挙げられる。なお、一方の仕上げ材の種類（塗り壁、壁紙又は塗料）と、他方の仕上げ材の種類（塗り壁、壁紙又は塗料）とは、同じでも良いし、異なっても良い。
【００５５】
また、担持体に混入する粒状体としては、上記実施形態の天然砂の他、人工砂、天然色砂、人工色砂を使用することができる。天然色砂や人工色砂を使用すれば、仕上げ材に電波遮蔽性を付与できるとともに、所定の色彩を付与できる。粒状体の粒径はマイクロ波又はミリ波からなる電波の波長λの１／２〜１／１０である。従って、たとえばマイクロ波（周波数：３ＧＨｚ〜３０ＧＨｚ）の波長は１０ｃｍ〜１ｃｍであるので、たとえば送信電波として周波数が３０ＧＨｚのマイクロ波を使用する場合は、粒状体の粒径は５ｍｍから１ｍｍの範囲で選定する。
（３）送受信機器
また、建物用建材の両側の住戸又は部屋に配置される送信機及び受信機は、放送信号を周波数変換して無線伝送する機器に限定されず、たとえば、無線ＬＡＮ（通常マイクロ波帯電波を使用する）において電波を伝送するために使用するアクセスポイント、及び無線ＬＡＮ機能を持つパーソナルコンピュータ（パソコン）に装着された無線ＬＡＮアダプタであっても良い。
【図面の簡単な説明】
【００５６】
【図１】本発明の実施形態における戸境壁及び住戸などを示す平面説明図である。
【図２】図１の戸境壁の両側に配置された送信機及び受信機を含む無線通信システムを示す全体図である。
【図３】図１の送信機及び受信機を示すブロック図である。
【図４】下地材に塗布された仕上げ材の詳細を示すＸ部及びＹ部拡大図である。
【図５】電波透過伝送試験の測定系を示す説明図である。
【符号の説明】
【００５７】
１１〜１４…側壁、１６…第１住戸、１８…第２住戸、２１…ＢＳ／ＣＳアンテナ、２１ａ…反射鏡、２１ｂ…受信ユニット、２２…ＵＨＦアンテナ、２３…混合器、２４…電源挿入器、２５…電源装置、２８…ディジタルチューナ、２９…ＴＶ、３０…送信機、３０Ａ…第１送信機、３０Ｂ…第２送信機、３１…電源分離フィルタ、３２…増幅回路、３３…基準発振器、３４…ＰＬＬ発振器、３５…逓倍器、３６…ミキサ、３７…ＢＰＦ、３８…増幅回路、３９…送信アンテナ、４０…受信機、４０Ａ…第１受信機、４０Ｂ…第２受信機、４１…受信アンテナ、４２…増幅回路、４３…基準発振器、４４…ＰＬＬ発振器、４５…逓倍器、４６…ミキサ、４７…ＢＰＦ、４８…増幅回路、４９…電源分離フィルタ、５０…戸境壁、５０ａ…一側面、５０ｂ…他側面、５１…下地材、５１ａ…表面、５３…仕上げ材、５４…合成糊、５５…砂粒、６１…骨材、７０…試験用建材、７５…送信機、７６…送信アンテナ、７７，８２…テーブル、８０…受信機、８１…受信アンテナ、８５…ネットワークアナライザ
【図１】
2007270460.tif 000004
【図２】
2007270460.tif 000005
【図３】
2007270460.tif 000006
【図４】
2007270460.tif 000007
【図５】
2007270460.tif 000008